(57)【要約】      （修正有）【課題】デバイスからの決済要請を認証する方法及びシステムを提供する。【解決手段】デバイス１０００がＰＯＳ端末２０００に決済を要請する方法は、デバイスに対するユーザ入力に基づいて、少なくとも一つの認証情報を生成する動作と、生成された認証情報を保存する動作と、を含み、デバイスがＰＯＳ端末から所定範囲内に進入することにより、ＰＯＳ端末に対するユーザ入力に基づいてＰＯＳ端末によって生成された認証情報をＰＯＳ端末から受信する動作と、生成された認証情報及び受信された認証情報を比較する動作との、比較結果に基づいて、サービスまたは物品に対する決済に用いられるカード情報をＰＯＳ端末に提供する動作と、を含む。【選択図】図２
2019012538.tif 000002
【特許請求の範囲】
【請求項１】
ＰＯＳ（ｐｏｉｎｔ  ｏｆ  ｓａｌｅ）端末との決済を要請するデバイスにおいて、
前記デバイスに対するユーザ入力に基づいて少なくとも一つの認証情報を生成する制御部と、
前記生成された認証情報を保存するメモリと、
前記デバイスが前記ＰＯＳ端末から所定範囲内に進入することにより、前記ＰＯＳ端末に対するユーザ入力に基づいて前記ＰＯＳ端末によって生成された認証情報を前記ＰＯＳ端末から受信するトランシーバと、
を含み、
前記制御部は、前記生成された認証情報及び前記受信された認証情報を比較し、前記比較結果に基づいて、サービスまたは物品に対する決済に用いられるカード情報を前記ＰＯＳ端末に提供する、デバイス。
【請求項２】
前記ＰＯＳ端末に提供されたカード情報は、前記ＰＯＳ端末から決済サーバに伝送される、請求項１に記載のデバイス。
【請求項３】
前記決済サーバに伝送された前記カード情報は、前記決済サーバが前記サービスまたは物品に対する決済を遂行するのに用いられる、請求項２に記載のデバイス。
【請求項４】
前記制御部は、前記物品または前記サービスの決済に用いられるクーポン情報を前記ＰＯＳ端末に提供する、請求項２に記載のデバイス。
【請求項５】
前記制御部は、ユーザ入力に基づいて、支払われる前記物品または前記サービスの決済金額による前記認証情報の種類を既に設定する、請求項１に記載のデバイス。
【請求項６】
前記生成された認証情報は、前記ユーザの瞳孔イメージ、前記ユーザの音声、前記ユーザの指紋、及び前記ユーザの署名のうち、少なくとも一つを含む、請求項１に記載のデバイス。
【請求項７】
前記制御部は、複数の認証情報を生成し、前記複数の認証情報のうち、一つを前記ＰＯＳ端末から受信された認証情報と比較する、請求項１に記載のデバイス。
【請求項８】
前記制御部は、前記複数の認証情報のうち一つを、前記ＰＯＳ端末に提供し、前記提供された複数の認証情報のうち一つは、前記ＰＯＳ端末から決済サーバに伝送される、請求項７に記載のデバイス。
【請求項９】
前記決済サーバに伝送された、前記複数の認証情報のうち一つは、前記決済サーバが前記物品または前記サービスの決済を遂行するのに用いられる、請求項８に記載のデバイス。
【請求項１０】
前記制御部は、前記ＰＯＳ端末に前記決済を要請し、前記決済要請は、前記比較結果に基づいて認証される、請求項１に記載のデバイス。
【請求項１１】
デバイスがＰＯＳ端末との決済を要請する方法において、
前記デバイスに対するユーザ入力に基づいて、少なくとも一つの認証情報を生成する動作と、
前記生成された認証情報を保存する動作と、
前記デバイスがＰＯＳ（ｐｏｉｎｔ  ｏｆ  ｓａｌｅ）端末から所定範囲内に進入することにより、前記ＰＯＳ端末に対するユーザ入力に基づいて前記ＰＯＳ端末によって生成された認証情報を前記ＰＯＳ端末から受信する動作と、
前記生成された認証情報及び前記受信された認証情報を比較する動作と、
前記比較結果に基づいて、サービスまたは物品に対する決済に用いられるカード情報を前記ＰＯＳ端末に提供する動作と、
を含む、方法。
【請求項１２】
前記ＰＯＳ端末に提供されたカード情報は、前記ＰＯＳ端末から決済サーバに伝送される、請求項１１に記載の方法。
【請求項１３】
前記決済サーバに伝送された前記カード情報は、前記決済サーバが前記サービスまたは物品に対する決済を遂行するのに用いられる、請求項１２に記載の方法。
【請求項１４】
前記物品または前記サービスの決済に用いられるクーポン情報を前記ＰＯＳ端末に提供する動作と、をさらに含む、請求項１２に記載の方法。
【請求項１５】
ユーザ入力に基づいて、支払われる前記物品または前記サービスの決済金額による前記認証情報の種類を予め設定する動作と、
をさらに含む、請求項１１に記載の方法。
【請求項１６】
前記生成された認証情報は、前記ユーザの瞳孔イメージ、前記ユーザの音声、前記ユーザの指紋、及び前記ユーザの署名のうち、少なくとも一つを含む、請求項１１に記載の方法。
【請求項１７】
前記生成する動作は、複数の認証情報を生成し、
前記比較する動作は、前記複数の認証情報のうち一つを前記ＰＯＳ端末から受信された認証情報と比較する、請求項１１に記載の方法。
【請求項１８】
前記複数の認証情報のうち、一つを前記ＰＯＳ端末に提供する動作と、
をさらに含み、
前記提供された複数の認証情報のうち一つは、前記ＰＯＳ端末から決済サーバに伝送される、請求項１７に記載の方法。
【請求項１９】
前記決済サーバに伝送された前記複数の認証情報のうち一つは、前記決済サーバが前記物品または前記サービスの決済を遂行するのに用いられる、請求項１８に記載の方法。
【請求項２０】
請求項１１の方法をコンピュータで実行させるためのプログラムを記録したコンピュータで読取り可能な記録媒体。
【発明の詳細な説明】
【技術分野】
【０００１】
本発明は、デバイスで生成された認証情報及びＰＯＳ端末で生成された認証情報を用いてデバイスからの決済要請を認証する方法及びシステムに関する。
【背景技術】
【０００２】
データ送信技術及びネットワーク技術の発達につれてモバイルデバイスの使用が一般化し、モバイルデバイスを通じて決済サービスを提供する技術が注目を集めている。モバイル決済サービスを用いるために、例えば、加入者識別モジュール（Ｓｕｂｓｃｒｉｂｅ Ｉｄｅｎｔｉｔｙ Ｍｏｄｕｌｅ、以下、ＳＩＭという）を用いる方法があるが、クレジットカード情報、金融情報などの決済情報が保存されているＳＩＭカードを携帯電話やスマートフォンなどに挿入または装着し、モバイル決済サービスを提供されている。
【０００３】
しかし、ユーザがＳＩＭカードまたはＳＩＭカードが取り付けられたモバイルデバイスを落としてしまった場合に、第三者による決済が可能であるので、ＳＩＭカードを用いたモバイル決済サービスは、セキュリティ上の脆弱性が生じる恐れがあった。このようなセキュリティ上の脆弱性を解決するために、モバイルデバイスまたはＰＯＳ（Ｐｏｉｎｔ Ｏｆ Ｓａｌｅｓ）端末は、パスワードの入力などによってデータへのアクセスが制限されたが、パスワードなどが流出した場合に決済情報のセキュリティが保証されないという問題点があった。
したがって、モバイル決済において、デバイスからの決済要請をさらに便利で、かつ安全に認証できる技術が要求されている。
【先行技術文献】
【特許文献】
【０００４】
【特許文献１】特開２００８−０８４２２７号公報
【特許文献２】特開２００５−３４６６０６号公報
【特許文献３】特開２００６−２２１５１５号公報
【特許文献４】特開２００５−２４２７６８号公報
【特許文献５】特開２００６−３５０５８８号公報
【発明の概要】
【発明が解決しようとする課題】
【０００５】
本発明の一実施形態は、デバイスで生成された認証情報及びＰＯＳ端末で生成された認証情報を用いて、デバイスからの決済要請を認証する方法及びシステムを提供する。
【０００６】
また、本発明の一実施形態は、ユーザの指紋、瞳孔、音声及び署名のうち少なくとも一つに関する認証情報を用いて、デバイスからの決済要請を認証する方法及びシステムを提供する。
【課題を解決するための手段】
【０００７】
前述した技術的課題を解決するための技術的手段として、本発明の第１の態様は、前記デバイスに、ユーザ入力に基づいて生成された認証情報を保存する段階と、前記デバイスが前記ＰＯＳ端末から所定の範囲内に進入することによって、前記ＰＯＳ端末に前記保存された認証情報を提供する段階と、を含み、前記ＰＯＳ端末に提供された認証情報は、前記ＰＯＳ端末でユーザ入力に基づいて生成される認証情報と比較されて、前記デバイスからの決済要請の認証に用いられる、デバイスがＰＯＳ端末に決済を要請する方法を提供する。
【０００８】
また、前記方法は、前記ＰＯＳ端末に決済情報を提供する段階をさらに含み、前記ＰＯＳ端末に提供された決済情報は、前記デバイスからの決済要請が認証されると、前記ＰＯＳ端末から決済サーバに提供される。
【０００９】
また、前記デバイスからの決済要請が認証されると、前記ＰＯＳ端末に提供された認証情報及び前記ＰＯＳ端末で生成された認証情報のうち少なくとも一つが前記ＰＯＳ端末から前記決済サーバに提供される。
【００１０】
また、前記決済サーバに提供された認証情報は、前記決済サーバが前記デバイスから要請された決済を行うために用いられる。
【００１１】
また、前記ＰＯＳ端末に決済情報を提供する段階は、前記デバイスからの決済要請が認証されると前記ＰＯＳ端末に前記決済情報を提供する。
【００１２】
また、前記認証情報は、前記ユーザの指紋、瞳孔、音声及び署名のうち少なくとも一つに関する情報を含む。
【００１３】
また、前記認証情報は、前記ユーザの指紋、瞳孔、音声及び署名のうち少なくとも一つに関する情報をダウンロードするためのリンク情報を含む。
【００１４】
また、前記決済情報は、カード情報、クーポン情報及びユーザ情報のうち少なくとも一つを含む。
【００１５】
また、本発明の第２の態様は、前記デバイスに、ユーザ入力に基づいて生成された認証情報を保存する段階と、前記デバイスが前記ＰＯＳ端末から所定の範囲内に進入することによって、前記ＰＯＳ端末で、ユーザ入力に基づいて生成された認証情報を前記ＰＯＳ端末から受信する段階と、前記生成された認証情報及び前記受信した認証情報に基づいて前記デバイスを通じた決済を認証する段階と、前記ＰＯＳ端末に決済情報を提供する段階と、を含む、デバイスがＰＯＳ端末に決済を要請する方法を提供する。
【００１６】
また、前記ＰＯＳ端末に提供された決済情報は、前記デバイスを通じた決済が認証されると、前記ＰＯＳ端末から決済サーバに提供される。
【００１７】
また、前記デバイスを通じた決済が認証されると、前記ＰＯＳ端末に提供された認証情報及び前記ＰＯＳ端末で生成された認証情報のうち少なくとも一つが前記ＰＯＳ端末から前記決済サーバに提供される。
【００１８】
また、前記決済サーバに提供された認証情報は、前記決済サーバが前記デバイスを通じた決済を行うのに用いられる。
【００１９】
また、前記ＰＯＳ端末に決済情報を提供する段階は、前記デバイスを通じる決済が認証されると前記ＰＯＳ端末に前記決済情報を提供する。
【００２０】
また、前記認証情報は、前記ユーザの指紋、瞳孔、音声及び署名のうち少なくとも一つに関する情報を含む。
【００２１】
また、前記認証情報は、前記ユーザの指紋、瞳孔、音声及び署名のうち少なくとも一つに関する情報をダウンロードするためのリンク情報を含む。
【００２２】
また、前記決済情報は、カード情報、クーポン情報及びユーザ情報のうち少なくとも一つを含む。
【００２３】
また、本発明の第３の態様は、前記ＰＯＳ端末から所定の範囲内に前記デバイスが進入することによって、前記デバイスに保存された認証情報を前記デバイスから受信する段階と、前記ＰＯＳ端末へのユーザ入力に基づいて認証情報を生成する段階と、前記受信した認証情報及び前記生成された認証情報を比較し、前記デバイスからの決済要請を認証する段階と、を含む、ＰＯＳ端末がデバイスからの決済要請を認証する方法を提供する。
【００２４】
また、前記方法は、前記デバイスから決済情報を受信する段階と、前記デバイスからの決済要請が認証されると、前記受信した決済情報を決済サーバに提供する段階と、をさらに含む。
【００２５】
また、前記デバイスからの決済要請が認証されると、前記受信した認証情報及び前記生成された認証情報のうち少なくとも一つが前記ＰＯＳ端末から前記決済サーバに提供される。
【００２６】
また、前記決済サーバに提供された認証情報は、前記決済サーバが前記デバイスから要請された決済を行うために用いられる。
【００２７】
また、本発明の第４の態様は、前記ＰＯＳ端末へのユーザ入力に基づいて認証情報を生成する段階と、前記ＰＯＳ端末から所定の範囲内に前記デバイスが進入することによって、前記生成された認証情報を前記デバイスに提供する段階と、を含み、前記デバイスに提供された認証情報は、前記デバイスでユーザ入力に基づいて生成される認証情報と比較され、前記デバイスを通じた決済の認証に用いられる、ＰＯＳ端末がデバイスからの決済要請を認証する方法を提供する。
【００２８】
また、本発明の第５の態様は、デバイスに、ユーザ入力に基づいて生成された認証情報を保存する認証情報保存部と、前記デバイスがＰＯＳ端末から所定の範囲内に進入することによって、前記ＰＯＳ端末でユーザ入力に基づいて生成された認証情報を前記ＰＯＳ端末から受信し、前記生成された認証情報と前記受信した認証情報とを比較する認証情報比較部と、前記比較結果に基づいて前記ＰＯＳ端末に決済を要請する決済要請部と、を備えるデバイスを提供する。
【００２９】
また、本発明の第６の態様は、ＰＯＳ端末へのユーザ入力に基づいて認証情報を生成する認証情報生成部と、前記ＰＯＳ端末から所定の範囲内に前記デバイスが進入することによって、前記生成された認証情報を前記デバイスに提供する認証情報提供部と、を備え、前記デバイスに提供された認証情報は、前記デバイスでユーザ入力に基づいて生成される認証情報と比較され、前記デバイスを通じた決済の認証に用いられるデバイスを提供する。
【００３０】
また、本発明の第７の態様は、前記第１の態様の方法をコンピュータで行わせるためのプログラムを記録したコンピュータで読み取り可能な記録媒体を提供する。
【００３１】
また、本発明の第８の態様は、前記第２の態様の方法をコンピュータで行わせるためのプログラムを記録したコンピュータで読み取り可能な記録媒体を提供する。
【００３２】
また、本発明の第９の態様は、前記第３の態様の方法をコンピュータで行わせるためのプログラムを記録したコンピュータで読み取り可能な記録媒体を提供する。
【００３３】
また、本発明の第１０の態様は、前記第４の態様の方法をコンピュータで行わせるためのプログラムを記録したコンピュータで読み取り可能な記録媒体を提供する。
【図面の簡単な説明】
【００３４】
【図１】本発明の一実施形態による、デバイスからの決済要請を認証するシステムの概要図である。
【図２】本発明の一実施形態による決済要請認証システムで、デバイス１０００及びＰＯＳ端末２０００が近距離接触することで、それぞれユーザの認証情報を取得する一例を示す図面である。
【図３】本発明の一実施形態による決済要請認証システムで、ＰＯＳ端末２０００がデバイス１０００からの決済要請を認証する方法のフローチャートである。
【図４】本発明の他の実施形態による決済要請認証システムで、ＰＯＳ端末２０００がデバイス１０００からの決済要請を認証する方法のフローチャートである。
【図５】本発明の一実施形態による決済要請認証システムでサーバ３０００がデバイス１０００からの決済要請を認証する方法のフローチャートである。
【図６】本発明の一実施形態によるデバイス１０００及びＰＯＳ端末２０００がユーザの瞳孔を撮影することで、それぞれ認証情報を取得する一例を示す図面である。
【図７】本発明の一実施形態によるデバイス１０００及びＰＯＳ端末２０００がユーザの指紋を認識することで、それぞれ認証情報を取得する一例を示す図面である。
【図８】本発明の一実施形態によるデバイス１０００及びＰＯＳ端末２０００がユーザの音声を録音することで、それぞれ認証情報を取得する一例を示す図面である。
【図９】本発明の一実施形態によるデバイス１０００及びＰＯＳ端末２０００にユーザの署名を入力することで、それぞれ認証情報を取得する一例を示す図面である。
【図１０】本発明の一実施形態によるデバイス１０００で行われた決済アプリケーションの実行画面の一例を示す図面である。
【図１１】本発明の一実施形態によるデバイス１０００で決済のためのカードが選択される一例を示す図面である。
【図１２】本発明の一実施形態によるデバイス１０００で決済のためのカード及びクーポンが選択され、決済情報が画面に表示される一例を示す図面である。
【図１３】本発明の一実施形態によるデバイス１０００でショッピングリスト（ショッピングカート）が表示される一例を示す図面である。
【図１４】本発明の一実施形態によるデバイス１０００のブロック図である。
【図１５】本発明の一実施形態によるＰＯＳ端末２０００のブロック図である。
【発明を実施するための形態】
【００３５】
以下、添付した図面を参照して当業者が容易に実施できるように本発明の実施形態を詳細に説明する。しかし、本発明は様々な異なる形態で具現でき、ここで説明する実施形態に限定されるものではない。そして、図面で本発明を明確に説明するために説明と関係ない部分は略し、明細書全般にわたって類似した部分については類似した図面符号を付けた。
【００３６】
明細書全体で、ある部分が他の部分と“接続”されているとする時、これは“直接的に接続”されている場合だけではなく、その中間に他の素子を介して“電気的に接続”されている場合も含む。また、ある部分がある構成要素を“含む”とする時、これは、特に逆の記載がない限り、他の構成要素を除外するものではなく他の構成要素をさらに含むことを意味する。
【００３７】
以下、添付した図面を参照して本発明を詳細に説明する。
【００３８】
図１は、本発明の一実施形態によるデバイスからの決済要請を認証するシステムの概要図である。
【００３９】
図１に示したように、本発明の一実施形態による決済要請認証システムは、デバイス１０００、ＰＯＳ（Ｐｏｉｎｔ Ｏｆ Ｓａｌｅｓ）端末２０００、サーバ３０００及びネットワーク４０００を備える。
【００４０】
デバイス１０００は、ユーザの認証情報を予め生成して保存でき、デバイス１０００がＰＯＳ端末２０００に近づくと、予め保存された認証情報をＰＯＳ端末２０００に提供する。認証情報は、デバイス１０００からの決済要請の認証に用いられる情報であり、例えば、ユーザの瞳孔を撮影した画像、ユーザの音声、ユーザの指紋、ユーザの署名のうち少なくとも一つを含む。
【００４１】
デバイス１０００は、スマートフォン、携帯電話、ＰＤＡ（ｐｅｒｓｏｎａｌ ｄｉｇｉｔａｌ ａｓｓｉｓｔａｎｔ）、ラップトップ、メディアプレーヤ、ＧＰＳ（ｇｌｏｂａｌ ｐｏｓｉｔｉｏｎｉｎｇ ｓｙｓｔｅｍ）装置、ラップトップ、及びその他のモバイルまたは非モバイルコンピュータ装置であるが、これらに制限されるものではない。
【００４２】
ＰＯＳ端末２０００は、デバイス１０００とは別途にユーザの認証情報を生成する。デバイス１０００から認証情報が受信されれば、ＰＯＳ端末２０００は、ユーザを撮影するか、ユーザの音声を録音するか、ユーザの指紋を認識するか、ユーザの署名入力を受信することでユーザの認証情報を別途に生成する。また、ＰＯＳ端末２０００は、デバイス１０００から受信した認証情報を、自分の生成した認証情報と比較することで、デバイス１０００からの決済要請を認証する。
【００４３】
また、ＰＯＳ端末２０００は、決済要請を認証した後でデバイス１０００から決済情報を受信し、受信した決済情報をサーバ３０００に提供することでサーバ３０００が決済を行わせる。
【００４４】
ネットワーク４０００は、近距離通信網（Ｌｏｃａｌ Ａｒｅａ Ｎｅｔｗｏｒｋ；ＬＡＮ）、広域通信網（Ｗｉｄｅ Ａｒｅａ Ｎｅｔｗｏｒｋ；ＷＡＮ）または付加価置通信網（Ｖａｌｕｅ Ａｄｄｅｄ Ｎｅｔｗｏｒｋ；ＶＡＮ）などの有線ネットワークや移動通信網、近接通信網または衛星通信網などの無線ネットワークで具現される。また、ネットワーク４０００は、図１に示した各ネットワーク構成主体をして互いに円滑に通信を行わせられる包括的な意味のデータ通信網であり、有線インターネット、無線インターネット及びモバイル無線通信網を含む。
【００４５】
図２は、本発明の一実施形態による決済要請認証システムで、デバイス１０００及びＰＯＳ端末２０００が近距離接触することで、それぞれユーザの認証情報を取得する一例を示す図面である。
【００４６】
図２を参照すれば、デバイス１０００は、デバイス１０００に備えられた多くの装置を用いてユーザの認証情報を予め生成する。デバイス１０００は、デバイス１０００のカメラを用いてユーザの瞳孔を撮影し、撮影された映像を保存でき、デバイス１０００の画面にタッチされたユーザの指から指紋を認識でき、指紋情報を保存できる。また、デバイス１０００は、マイクを用いてユーザの音声を録音し、録音された音声を保存する。
【００４７】
また、デバイス１０００とＰＯＳ端末２０００が近づくと、デバイス１０００に予め保存された認証情報が、近距離無線通信通信（Ｗｉｒｅｌｅｓｓ Ｐｅｒｓｏｎａｌ Ａｒｅａ Ｎｅｔｗｏｒｋ、ＷＰＡＮ）を通じてＰＯＳ端末２０００に自動的に送信され、ＰＯＳ端末２０００は、自身で生成した認証情報をデバイス１０００から受信した認証情報と比較することで、デバイス１０００からの決済要請を認証する。
【００４８】
近距離無線通信は、例えば、ＮＦＣ（Ｎｅａｒ Ｆｉｅｌｄ Ｃｏｍｍｕｎｉｃａｔｉｏｎ）、ジグビー（Ｚｉｇｂｅｅ(登録商標)）通信、ＲＦＩＤ（Ｒａｄｉｏ Ｆｒｅｑｕｅｎｃｙ ＩＤｅｎｔｉｆｉｃａｔｉｏｎ）通信及びＵＷＢ（Ｕｌｔｒａ Ｗｉｄｅ Ｂａｎｄ）通信を含むが、これらに制限されるものではない。
【００４９】
ＰＯＳ端末２０００は、ＰＯＳ端末２０００に備えられたカメラまたはＰＯＳ端末２０００と接続されたカメラを用いてユーザの瞳孔を撮影し、撮影された映像を保存する。また、ＰＯＳ端末２０００は、ＰＯＳ端末２０００に含まれるか、またはＰＯＳ端末２０００と接続された指紋認識装置の画面にタッチされたユーザの指から指紋を認識でき、指紋情報を保存する。また、ＰＯＳ端末２０００は、ＰＯＳ端末２０００に備えられるか、またはＰＯＳ端末２０００と接続されたマイクを用いてユーザの音声を録音し、録音された音声を保存する。
【００５０】
図３は、本発明の一実施形態による決済要請認証システムで、ＰＯＳ端末２０００がデバイス１０００からの決済要請を認証する方法のフローチャートである。
【００５１】
段階Ｓ３００で、デバイス１０００は、ユーザによって入力された認証情報を保存する。認証情報は、デバイス１０００を通じた決済要請を認証するための情報であり、例えば、ユーザの瞳孔イメージ、ユーザの音声、ユーザの指紋及びユーザの署名のうち少なくとも一つに関する情報を含む。デバイス１０００は、カメラ、マイク、指紋認識装置及びタッチスクリーンのうち少なくとも一つを用いて認証情報を生成し、生成された認証情報をデバイス１０００のメモリに予め保存する。デバイス１０００は、生成された認証情報を別途の保存領域に保存することもできる。
【００５２】
段階Ｓ３０２で、デバイス１０００は、ＰＯＳ端末２０００と近距離接触する。デバイス１０００及びＰＯＳ端末２０００は、所定の範囲内に進入し、デバイス１０００とＰＯＳ端末２０００が近づくと、デバイス１０００とＰＯＳ端末２０００は、ＮＦＣ通信によって互いに接続される。
【００５３】
段階Ｓ３０４で、デバイス１０００は、ＰＯＳ端末２０００に決済を要請する。段階Ｓ３０４で、デバイス１０００は、ＰＯＳ端末２０００に近づくとＰＯＳ端末２０００に決済を要請する。
【００５４】
段階Ｓ３０６で、デバイス１０００は、デバイス１０００に保存された認証情報をＰＯＳ端末２０００に送信する。デバイス１０００は、ＰＯＳ端末２０００に近づくとユーザの瞳孔イメージ、ユーザの音声、ユーザの指紋及びユーザの署名のうち少なくとも一つに関する情報を、メモリまたは別途の保存領域から抽出し、抽出された情報をＰＯＳ端末２０００に送信する。デバイス１０００は、認証情報を別途の保存領域に保存し、保存された認証情報をダウンロードできるリンク情報をＰＯＳ端末２０００に送信することもできる。
【００５５】
また、デバイス１０００は、デバイス１０００の画面にパスワード入力のためのＵＩ（Ｕｓｅｒ Ｉｎｔｅｒｆａｃｅ）を表示でき、ユーザによって正しいパスワードが入力されれば、デバイス１０００は、認証情報をＰＯＳ端末２０００に提供する。
【００５６】
また、デバイス１０００は、決済される物品の種類または決済金額によって予め決定された種類の認証情報をＰＯＳ端末２０００に送信する。例えば、ユーザは、決済される物品の種類または決済金額によって認証情報の種類を予め決定でき、デバイス１０００は、所定の認証情報をＰＯＳ端末２０００に送信する。しかし、これに制限されず、ユーザは、任意に自分の用いた認証情報の種類を予め決定することもできる。また、デバイス１０００が、所定の認証情報をＰＯＳ端末２０００に送信した場合には、ＰＯＳ端末２０００に送信された認証情報と同種の認証情報がＰＯＳ端末２０００によって生成されて初めて、ＰＯＳ端末２０００がデバイス１０００からの決済要請を認証する。
【００５７】
段階Ｓ３０８で、ＰＯＳ端末２０００は、ユーザ入力に基づいて認証情報を生成する。ＰＯＳ端末２０００は、ＰＯＳ端末２０００に備えられたカメラまたはＰＯＳ端末２０００に接続されたカメラからユーザの瞳孔を撮影する。また、ＰＯＳ端末２０００は、ＰＯＳ端末２０００に備えられたマイク、またはＰＯＳ端末２０００に接続されたマイクからユーザの音声を録音する。また、ＰＯＳ端末２０００は、ＰＯＳ端末２０００に備えられた指紋認識装置、またはＰＯＳ端末２０００に接続された指紋認識装置からユーザの指紋を認識する。また、ＰＯＳ端末２０００は、ＰＯＳ端末２０００に備えられたタッチスクリーン、またはＰＯＳ端末２０００に接続されたタッチスクリーンからユーザによって入力された署名のイメージを生成する。
【００５８】
段階Ｓ３１０で、ＰＯＳ端末２０００は、デバイス１０００から受信した認証情報と、ＰＯＳ端末２０００で生成された認証情報とを比較する。例えば、認証情報がユーザの瞳孔が撮影されたイメージである場合に、ＰＯＳ端末２０００は、デバイス１０００から受信した瞳孔イメージと、ＰＯＳ端末２０００によって撮影された瞳孔イメージとを比較する。
【００５９】
また、例えば、認証情報がユーザの音声である場合に、ＰＯＳ端末２０００は、デバイス１０００から受信したユーザ音声データと、ＰＯＳ端末２０００によって録音されたユーザの音声データとを比較する。この場合、ＰＯＳ端末２０００は、音声データの周波数及びパターンに基づいて、デバイス１０００から受信した音声データ及びＰＯＳ端末２０００によって録音された音声データが、同じユーザの音声データであるかどうかを判断する。また、ＰＯＳ端末２０００は、音声データをテキストデータに変換でき、デバイス１０００から受信した音声データに対応するテキストデータ、及びＰＯＳ端末２０００によって録音された音声データに対応するテキストデータの同一如何を判断することもできる。
【００６０】
また、例えば、認証情報がユーザの指紋イメージである場合に、ＰＯＳ端末２０００は、デバイス１０００から受信した指紋イメージと、ＰＯＳ端末２０００によって生成された指紋イメージとを比較する。また、例えば、認証情報がユーザの署名である場合に、ＰＯＳ端末２０００は、デバイス１０００から受信した署名イメージと、ＰＯＳ端末２０００によって生成された署名イメージとを比較する。
【００６１】
段階Ｓ３１２で、ＰＯＳ端末２０００は、決済要請を認証する。ＰＯＳ端末２０００は、デバイス１０００から受信した認証情報と、ＰＯＳ端末２０００によって生成された認証情報とが同一であると判断されれば、デバイス１０００から受信した決済要請を認証する。
【００６２】
段階Ｓ３１４で、デバイス１０００は、決済情報をＰＯＳ端末２０００に送信する。ＰＯＳ端末２０００によってデバイス１０００の決済要請が認証されれば、デバイス１０００は、ＰＯＳ端末２０００に決済情報を送信する。決済情報は、物品またはサービスについての決済に用いられる情報であり、カード情報、クーポン情報及びユーザ情報を含む。
【００６３】
前記では、ＰＯＳ端末２０００が決済要請を認証した後でデバイス１０００がＰＯＳ端末２０００に決済情報を提供すると説明したが、これに制限されるものではない。デバイス１０００は、段階Ｓ３０６で、認証情報と共に決済情報をＰＯＳ端末２０００に送信することもできる。
【００６４】
段階Ｓ３１６で、ＰＯＳ端末２０００は、決済情報及び認証情報をサーバ３０００に送信する。ＰＯＳ端末２０００は、デバイス１０００から受信した決済情報及び認証情報をサーバ３０００に送信する。また、ＰＯＳ端末２０００は、ＰＯＳ端末２０００によって生成された認証情報をサーバ３０００に送信することもできる。
【００６５】
段階Ｓ３１８で、サーバ３０００は、決済を行う。サーバ３０００は、ＰＯＳ端末２０００から受信した決済情報及び認証情報に基づいて、決済を行うことができる。サーバ３０００は、デバイス１０００で生成された認証情報と、ＰＯＳ端末２０００で生成された認証情報とを共に用いて、さらに安全に決済を行うことができる。
【００６６】
図４は、本発明の他の実施形態による決済要請認証システムで、ＰＯＳ端末２０００がデバイス１０００からの決済要請を認証する方法のフローチャートである。図４では、デバイス１０００が、デバイス１０００で生成された認証情報と、ＰＯＳ端末２０００で生成された認証情報とを比較する。
【００６７】
段階Ｓ４００で、デバイス１０００は、ユーザによって入力された認証情報を保存する。デバイス１０００は、カメラ、マイク、指紋認識装置及びタッチスクリーンのうち少なくとも一つを用いて認証情報を生成でき、生成された認証情報をデバイス１０００のメモリに予め保存する。デバイス１０００は、生成された認証情報を別途の保存領域に保存することもできる。
【００６８】
段階Ｓ４０２で、ＰＯＳ端末２０００は、ユーザ入力に基づいて認証情報を生成する。ＰＯＳ端末２０００は、ＰＯＳ端末２０００に備えられたカメラまたはＰＯＳ端末２０００に接続されたカメラから、ユーザの瞳孔を撮影する。また、ＰＯＳ端末２０００は、ＰＯＳ端末２０００に備えられたマイクまたはＰＯＳ端末２０００に接続されたマイクから、ユーザの音声を録音する。また、ＰＯＳ端末２０００は、ＰＯＳ端末２０００に備えられた指紋認識装置またはＰＯＳ端末２０００に接続された指紋認識装置から、ユーザの指紋を認識する。また、ＰＯＳ端末２０００は、ＰＯＳ端末２０００に備えられたタッチスクリーンまたはＰＯＳ端末２０００に接続されたタッチスクリーンから、ユーザによって入力された署名のイメージを生成する。
【００６９】
段階Ｓ４０４で、デバイス１０００は、ＰＯＳ端末２０００と近距離接触する。デバイス１０００及びＰＯＳ端末２０００は、所定の範囲内に進入でき、デバイス１０００とＰＯＳ端末２０００とが近づくと、デバイス１０００とＰＯＳ端末２０００とは、ＮＦＣ通信によって互いに接続される。前述では、ＰＯＳ端末２０００が認証情報を生成した後、デバイス１０００がＰＯＳ端末２０００と近距離接触すると説明したが、これに制限されるものではない。デバイス１０００がＰＯＳ端末２０００と近距離接触した後、ＰＯＳ端末２０００が認証情報を生成することもできる。
【００７０】
段階Ｓ４０６で、ＰＯＳ端末２０００は、ＰＯＳ端末２０００で生成された認証情報をデバイス１０００に送信する。ＰＯＳ端末２０００は、デバイス１０００に近づくとユーザの瞳孔イメージ、ユーザの音声、ユーザの指紋及びユーザの署名のうち少なくとも一つに関する情報をデバイス１０００に送信する。ＰＯＳ端末２０００は、認証情報を別途の保存領域に保存し、保存された認証情報をダウンロードできるリンク情報をデバイス１０００に送信することもできる。
【００７１】
段階Ｓ４０８で、デバイス１０００は、ＰＯＳ端末２０００から受信した認証情報と、デバイス１０００で生成された認証情報とを比較する。例えば、認証情報が、ユーザの瞳孔が撮影されたイメージである場合に、デバイス１０００は、ＰＯＳ端末２０００から受信した瞳孔イメージと、デバイス１０００で生成された瞳孔イメージとを比較する。
【００７２】
また、例えば、認証情報がユーザの音声である場合に、デバイス１０００は、ＰＯＳ端末２０００から受信したユーザ音声データと、デバイス１０００によって録音されたユーザの音声データとを比較する。この場合、デバイス１０００は、音声データの周波数及びパターンに基づいて、ＰＯＳ端末２０００から受信した音声データ及びデバイス１０００によって録音された音声データが、同じユーザの音声データであるかどうかを判断する。また、デバイス１０００は、音声データをテキストデータに変換でき、ＰＯＳ端末２０００から受信した音声データに対応するテキストデータと、デバイス１０００によって録音された音声データに対応するテキストデータとが同一であるかどうかを判断することもできる。
【００７３】
また、例えば、認証情報がユーザの指紋イメージである場合に、デバイス１０００は、ＰＯＳ端末２０００から受信した指紋イメージと、デバイス１０００によって生成された指紋イメージとを比較する。また、例えば、認証情報がユーザの署名である場合に、デバイス１０００は、ＰＯＳ端末２０００から受信した署名イメージと、デバイス１０００によって生成された署名イメージとを比較する。
【００７４】
段階Ｓ４１０で、デバイス１０００は、ＰＯＳ端末２０００に決済を要請する。デバイス１０００は、ＰＯＳ端末２０００から受信した認証情報がデバイス１０００で生成された認証情報と同じ場合に、ＰＯＳ端末２０００に決済を要請する。デバイス１０００は、ＰＯＳ端末２０００に決済要請を行うとともに、決済情報及びデバイス１０００で生成された認証情報をＰＯＳ端末２０００に提供する。決済情報は、物品またはサービスについての決済に用いられる情報であり、カード情報、クーポン情報及びユーザ情報を含む。また、段階Ｓ４１０で、デバイス１０００は、ＰＯＳ端末２０００に近づくとＰＯＳ端末２０００に決済を要請する。
【００７５】
段階Ｓ４１２で、ＰＯＳ端末２０００は、決済要請を認証する。ＰＯＳ端末２０００は、デバイス１０００から受信した認証情報と、ＰＯＳ端末２０００によって生成された認証情報とが同一であると判断されれば、デバイス１０００から受信した決済要請を認証する。
【００７６】
段階Ｓ４１４で、ＰＯＳ端末２０００は、決済情報及び認証情報をサーバ３０００に送信する。ＰＯＳ端末２０００は、デバイス１０００から受信した決済情報及び認証情報をサーバ３０００に送信する。また、ＰＯＳ端末２０００は、ＰＯＳ端末２０００によって生成された認証情報をサーバ３０００に送信することもできる。
【００７７】
段階Ｓ４１６で、サーバ３０００は、決済を行う。サーバ３０００は、ＰＯＳ端末２０００から受信した決済情報及び認証情報に基づいて、決済を行うことができる。サーバ３０００は、デバイス１０００で生成された認証情報と、ＰＯＳ端末２０００で生成された認証情報とを共に用いて決済を行うことができる。
【００７８】
図５は、本発明の一実施形態による決済要請認証システムで、サーバ３０００がデバイス１０００からの決済要請を認証する方法のフローチャートである。図４では、サーバ３０００が、デバイス１０００で生成された認証情報と、ＰＯＳ端末２０００で生成された認証情報とを比較する。
【００７９】
段階Ｓ５００で、デバイス１０００は、ユーザによって入力された認証情報を保存する。認証情報は、デバイス１０００を通じて決済要請を認証するための情報であり、デバイス１０００は、カメラ、マイク、指紋認識装置及びタッチスクリーンのうち少なくとも一つを用いて認証情報を生成することができ、生成された認証情報をデバイス１０００のメモリに予め保存する。デバイス１０００は、生成された認証情報を別途の保存領域に保存することもできる。
【００８０】
段階Ｓ５０２で、デバイス１０００は、ＰＯＳ端末２０００と近距離接触する。デバイス１０００及びＰＯＳ端末２０００は所定の範囲内に進入し、デバイス１０００とＰＯＳ端末２０００とが近づくと、デバイス１０００とＰＯＳ端末２０００とは、ＮＦＣ通信によって互いに接続される。
【００８１】
段階Ｓ５０４で、デバイス１０００は、ＰＯＳ端末２０００に決済を要請する。段階Ｓ５０４で、デバイス１０００は、ＰＯＳ端末２０００に近づくとＰＯＳ端末２０００に決済を要請する。
【００８２】
段階Ｓ５０６で、デバイス１０００は、デバイス１０００に保存された認証情報をＰＯＳ端末２０００に送信する。デバイス１０００は、ＰＯＳ端末２０００に近づくとユーザの瞳孔イメージ、ユーザの音声、ユーザの指紋及びユーザの署名のうち少なくとも一つに関する情報をメモリまたは別途の保存領域から抽出し、抽出された情報をＰＯＳ端末２０００に送信する。デバイス１０００は、認証情報を別途の保存領域に保存し、保存された認証情報をダウンロードできるリンク情報をＰＯＳ端末２０００に送信することもできる。
【００８３】
また、デバイス１０００は、デバイス１０００の画面にパスワード入力のためのＵＩを表示し、ユーザによって正しいパスワードが入力されれば、デバイス１０００は、認証情報をＰＯＳ端末２０００に提供する。
【００８４】
また、デバイス１０００は、決済される物品の種類または決済金額によって所定の認証情報をＰＯＳ端末２０００に送信する。例えば、ユーザは、決済される物品の種類または決済金額によって認証情報の種類を予め決定でき、デバイス１０００は、所定の認証情報をＰＯＳ端末２０００に送信する。しかし、これに制限されず、ユーザは、任意に自分の用いた認証情報の種類を予め決定してもよい。また、デバイス１０００が、所定の認証情報をＰＯＳ端末２０００に送信した場合には、ＰＯＳ端末２０００に送信された認証情報と同種の認証情報がＰＯＳ端末２０００によって生成されて初めて、ＰＯＳ端末２０００がデバイス１０００からの決済要請を認証する。
【００８５】
段階Ｓ５０８で、ＰＯＳ端末２０００は、ユーザ入力に基づいて認証情報を生成する。ＰＯＳ端末２０００は、ＰＯＳ端末２０００に備えられたカメラまたはＰＯＳ端末２０００に接続されたカメラから、ユーザの瞳孔を撮影する。また、ＰＯＳ端末２０００は、ＰＯＳ端末２０００に備えられたマイクまたはＰＯＳ端末２０００に接続されたマイクから、ユーザの音声を録音する。また、ＰＯＳ端末２０００は、ＰＯＳ端末２０００に備えられた指紋認識装置またはＰＯＳ端末２０００に接続された指紋認識装置から、ユーザの指紋を認識する。また、ＰＯＳ端末２０００は、ＰＯＳ端末２０００に備えられたタッチスクリーンまたはＰＯＳ端末２０００に接続されたタッチスクリーンから、ユーザによって入力された署名のイメージを生成する。
【００８６】
段階Ｓ５１０で、ＰＯＳ端末２０００は、デバイス１０００から受信した認証情報及びＰＯＳ端末２０００で生成された認証情報をサーバ３０００に送信する。
【００８７】
段階Ｓ５１２で、サーバ３０００は、デバイス１０００で生成された認証情報と、ＰＯＳ端末２０００で生成された認証情報とを比較する。例えば、認証情報が、ユーザの瞳孔が撮影されたイメージである場合に、サーバ３０００は、デバイス１０００で生成された瞳孔イメージと、ＰＯＳ端末２０００で生成された瞳孔イメージとを比較する。
【００８８】
また、例えば、認証情報が、ユーザの音声である場合に、サーバ３０００は、デバイス１０００で生成されたユーザ音声データと、ＰＯＳ端末２０００で生成されたユーザの音声データとを比較する。この場合、サーバ３０００は、音声データの周波数及びパターンに基づいて、デバイス１０００で生成された音声データ、及びＰＯＳ端末２０００で生成された音声データが、同じユーザの音声データであるかどうかを判断する。また、サーバ３０００は、音声データをテキストデータに変換でき、デバイス１０００で生成された音声データに対応するテキストデータ、及びＰＯＳ端末２０００で生成された音声データに対応するテキストデータが同一であるかどうかを判断することもできる。
【００８９】
また、例えば、認証情報がユーザの指紋イメージである場合に、サーバ３０００は、デバイス１０００で生成された指紋イメージと、ＰＯＳ端末２０００によって生成された指紋イメージとを比較する。また、例えば、認証情報がユーザの署名である場合に、サーバ３０００は、デバイス１０００で生成された署名イメージと、ＰＯＳ端末２０００によって生成された署名イメージとを比較する。
【００９０】
段階Ｓ５１４で、サーバ３０００は、決済要請を認証する。サーバ３０００は、デバイス１０００で生成された認証情報、及びＰＯＳ端末２０００で生成された認証情報が同一であると判断されれば、デバイス１０００の決済要請を認証する。
【００９１】
段階Ｓ５１６で、デバイス１０００は、決済情報をＰＯＳ端末２０００に送信し、段階Ｓ５１８で、ＰＯＳ端末２０００は、決済情報をサーバ３０００に送信する。サーバ３０００によってデバイス１０００の決済要請が認証されれば、デバイス１０００は、ＰＯＳ端末２０００に決済情報を送信する。決済情報は、物品またはサービスについての決済に用いられる情報であり、カード情報、クーポン情報及びユーザ情報を含む。また、デバイス１０００がサーバ３０００に直接決済情報を送信してもよい。
【００９２】
前述では、サーバ３０００が決済要請を認証した後でデバイス１０００がＰＯＳ端末２０００に決済情報を提供すると説明したが、これに制限されるものではない。デバイス１０００は、段階Ｓ５０６で、認証情報と共に決済情報をＰＯＳ端末２０００に送信することもできる。
【００９３】
段階Ｓ５２０で、サーバ３０００は、決済を行う。サーバ３０００は、ＰＯＳ端末２０００から受信した決済情報及び認証情報に基づいて、決済を行うことができる。サーバ３０００はデバイス１０００で生成された認証情報とＰＯＳ端末２０００で生成された認証情報を共に用いて決済を行うことができる。
【００９４】
図６は、本発明の一実施形態によるデバイス１０００及びＰＯＳ端末２０００が、ユーザの瞳孔を撮影することでそれぞれ認証情報を取得する一例を示す図面である。
【００９５】
図６を参照すれば、デバイス１０００は、デバイス１０００に備えられたカメラを用いてユーザの瞳孔を撮影でき、ＰＯＳ端末２０００は、ＰＯＳ端末２０００に備えられたカメラを用いてユーザの瞳孔を撮影する。デバイス１０００は、ユーザの瞳孔を撮影し、撮影された瞳孔イメージを予め保存し、ＰＯＳ端末２０００は、デバイス１０００及びＰＯＳ端末２０００が所定の範囲内に入ることによって、ユーザの瞳孔を撮影して瞳孔イメージを生成する。また、デバイス１０００によって生成された瞳孔イメージと、ＰＯＳ端末２０００によって生成された瞳孔イメージとは、互いに比較されることでデバイス１０００の決済要請の認証に用いられる。
【００９６】
図７は、本発明の一実施形態によるデバイス１０００及びＰＯＳ端末２０００が、ユーザの指紋を認識することでそれぞれ認証情報を取得する一例を示す図面である。
【００９７】
図７を参照すれば、デバイス１０００は、デバイス１０００に備えられたタッチスクリーンを用いてユーザの指紋を認識でき、ＰＯＳ端末２０００は、ＰＯＳ端末２０００に備えられた指紋認識装置を用いてユーザの指紋を認識する。デバイス１０００は、ユーザの指紋を認識し、認識された指紋のイメージを予め保存し、ＰＯＳ端末２０００は、デバイス１０００及びＰＯＳ端末２０００が所定の範囲内に入ることによって、ユーザの指紋を認識して指紋イメージを生成する。また、デバイス１０００によって生成された指紋イメージと、ＰＯＳ端末２０００によって生成された指紋イメージとは、互いに比較されることでデバイス１０００の決済要請の認証に用いられる。
【００９８】
図８は、本発明の一実施形態によるデバイス１０００及びＰＯＳ端末２０００が、ユーザの音声を録音することでそれぞれ認証情報を取得する一例を示す図面である。
【００９９】
図８を参照すれば、デバイス１０００は、デバイス１０００に備えられたマイクを用いてユーザの音声を録音でき、ＰＯＳ端末２０００は、ＰＯＳ端末２０００に備えられたマイクを用いてユーザの音声を録音する。デバイス１０００は、ユーザの音声を録音し、録音された音声データを予め保存し、ＰＯＳ端末２０００は、デバイス１０００及びＰＯＳ端末２０００が所定の範囲内に入ることによって、ユーザの音声を録音して音声データを生成する。また、デバイス１０００によって生成された音声データと、ＰＯＳ端末２０００によって生成された音声データとは、互いに比較されることでデバイス１０００の決済要請の認証に用いられる。
【０１００】
図９は、本発明の一実施形態によるデバイス１０００及びＰＯＳ端末２０００が、ユーザの署名を入力することでそれぞれ認証情報を取得する一例を示す図面である。
【０１０１】
図９を参照すれば、デバイス１０００は、デバイス１０００に備えられたタッチスクリーンを用いてユーザの署名イメージを生成でき、ＰＯＳ端末２０００は、ＰＯＳ端末２０００に備えられたタッチススクリーンを用いてユーザの署名イメージを生成する。デバイス１０００は、ユーザの署名イメージを予め保存でき、ＰＯＳ端末２０００は、デバイス１０００及びＰＯＳ端末２０００が所定の範囲内に入ることによって、ユーザの署名イメージを生成する。また、デバイス１０００によって生成された署名イメージと、ＰＯＳ端末２０００によって生成された署名イメージとは互いに比較されることで、デバイス１０００の決済要請の認証に用いられる。
【０１０２】
図１０Ａ及び図１０Ｂは、本発明の一実施形態によるデバイス１０００で行われた決済アプリケーションの実行画面の一例を示す図面である。
【０１０３】
図１０Ａに示したように、デバイス１０００で決済アプリケーションが実行されれば、デバイス１０００の画面には決済に用いられるクレジットカード及び決済金額が表示される。また、ユーザが決済のためのボタンを選択すれば、図１０Ｂのように、パスワード入力のためのＵＩが表示される。また、ユーザが、表示されたＵＩを通じてパスワードを入力すれば、デバイス１０００は、ユーザを撮影するか、ユーザの音声を録音するか、ユーザの指紋を認識するか、ユーザの署名を入力されることで認証情報を生成する。この場合、デバイス１０００によって生成された認証情報は、図１０Ａに表示されたクレジットカードにマッチングされて保存される。よって、デバイス１０００のユーザのクレジットカード別にそれぞれ異なる認証情報がマッチングされることもある。
【０１０４】
前述では、クレジットカード及び決済金額が表示された後でデバイス１０００が認証情報を生成すると説明したが、これに制限されるものではない。デバイス１０００は、クレジットカード及び決済金額のうち少なくとも一つに所定の認証情報をマッチングさせる。また、デバイス１０００は、クレジットカードクレジットカード及び決済金額に認証情報をマッチングさせないこともある。
【０１０５】
図１１は、本発明の一実施形態によるデバイス１０００で、決済のためのカードが選択される一例を示す図面である。
【０１０６】
図１１に示したように、本発明の一実施形態によれば、複数の決済手段が存在する場合、デバイス１０００は、決済手段のリストを画面に出力する。また、ユーザは、画面に出力された決済手段のリストから所定の決済手段を選択する。
【０１０７】
図１２Ａ及び図１２Ｂは、本発明の一実施形態によるデバイス１０００で、決済のためのカード及びクーポンが選択され、決済情報が画面に表示される一例を示す図面である。
【０１０８】
図１２Ａに示したように、ユーザは、決済手段リストで複数の決済手段（カード１、クーポン２）を選択する。この時、図１２Ｂに示したように、デバイス１０００は、決済金額（＄３００）のうち＄１００は、クーポン２を用いて決済し、残りの＄２００は、カード１を用いて決済する。
【０１０９】
図１３は、本発明の一実施形態によるデバイス１０００でショッピングリスト（ショッピングカート）が表示される一例を示す図面である。
【０１１０】
図１３を参照すれば、デバイス１０００は、複数の商品及びそれぞれの商品に対応する価格情報のリストを画面にディスプレイする。この場合、ユーザは、複数の商品及び価格を確認した後、決済を進める商品を選択する。例えば、ユーザが商品１及び商品２を選択する場合、デバイス１０００は、商品１及び商品２に関する決済を一括して処理する。
【０１１１】
図１４は、本発明の一実施形態によるデバイス１０００のブロック図である。
【０１１２】
図１４に示したように、本発明の一実施形態によるデバイス１０００は、認証情報保存部１１００、認証情報提供部１２００、認証情報比較部１３００、決済要請部１４００、メモリ部１５００、送受信部１６００及び制御部１７００を備える。
【０１１３】
認証情報保存部１１００は、ユーザによって入力された認証情報を保存する。認証情報は、デバイス１０００を通じて決済要請を認証するための情報であり、例えば、ユーザの瞳孔イメージ、ユーザの音声、ユーザの指紋及びユーザの署名のうち少なくとも一つに関する情報を含む。認証情報保存部１１００は、カメラ、マイク、指紋認識装置及びタッチスクリーンのうち少なくとも一つを用いて認証情報を生成し、生成された認証情報を後述するメモリ部１５００に予め保存する。しかし、これに制限されず、認証情報保存部１１００は、生成された認証情報を別途の保存領域に保存することもできる。
【０１１４】
認証情報提供部１２００は、保存された認証情報をＰＯＳ端末２０００に送信する。デバイス１０００とＰＯＳ端末２０００とが近づくと、認証情報提供部１２００は、ユーザの瞳孔イメージ、ユーザの音声、ユーザの指紋及びユーザの署名のうち少なくとも一つに関する情報を、メモリ部１５００または別途の保存領域から抽出し、抽出された情報をＰＯＳ端末２０００に、ＮＦＣ通信を通じて送信する。認証情報が別途の保存領域に保存された場合に、認証情報提供部１２００は、保存された認証情報をダウンロードできるリンク情報をＰＯＳ端末２０００に送信することもできる。
【０１１５】
また、デバイス１０００は、デバイス１０００の画面にパスワード入力のためのＵＩを表示することができ、ユーザによって正しいパスワードが入力されれば、認証情報提供部１２００が認証情報をＰＯＳ端末２０００に提供する。
【０１１６】
また、認証情報提供部１２００は、決済される物品の種類または決済金額によって、所定の認証情報をＰＯＳ端末２０００に送信する。例えば、ユーザは、決済される物品の種類または決済金額によって認証情報の種類を予め決定でき、認証情報提供部１２００は、所定の認証情報をＰＯＳ端末２０００に送信する。しかし、これに制限されず、ユーザは、任意に自分の用いた認証情報の種類を予め決定してもよい。また、認証情報提供部１２００は、所定の認証情報をＰＯＳ端末２０００に送信した場合には、ＰＯＳ端末２０００に送信された認証情報と同種の認証情報がＰＯＳ端末２０００によって生成されて初めて、ＰＯＳ端末２０００がデバイス１０００からの決済要請を認証する。
【０１１７】
認証情報比較部１３００は、ＰＯＳ端末２０００から受信した認証情報と、デバイス１０００で生成された認証情報とを比較する。ＰＯＳ端末２０００は、デバイス１０００とは別途に認証情報を生成でき、生成された認証情報をデバイス１０００に提供する。
【０１１８】
例えば、認証情報が、ユーザの瞳孔が撮影されたイメージである場合に、認証情報比較部１３００は、ＰＯＳ端末２０００から受信した瞳孔イメージと、デバイス１０００によって生成された瞳孔イメージとを比較する。
【０１１９】
また、例えば、認証情報がユーザの音声である場合に、認証情報比較部１３００は、ＰＯＳ端末２０００から受信したユーザ音声データと、デバイス１０００によって生成されたユーザの音声データとを比較する。この場合、認証情報比較部１３００は、音声データの周波数及びパターンに基づいて、ＰＯＳ端末２０００から受信した音声データと、デバイス１０００によって生成された音声データとが同じユーザの音声データであるかどうかを判断する。また、認証情報比較部１３００は、音声データをテキストデータに変換でき、ＰＯＳ端末２０００から受信した音声データに対応するテキストデータと、デバイス１０００によって生成された音声データに対応するテキストデータとが同一であるかどうかを判断することもできる。
【０１２０】
また、例えば、認証情報がユーザの指紋イメージである場合に、認証情報比較部１３００は、ＰＯＳ端末２０００から受信した指紋イメージと、デバイス１０００によって生成された指紋イメージとを比較する。また、例えば、認証情報がユーザの署名である場合に、認証情報比較部１３００は、ＰＯＳ端末２０００から受信した署名イメージと、デバイス１０００によって生成された署名イメージとを比較する。
【０１２１】
決済要請部１４００は、決済を要請する。デバイス１０００とＰＯＳ端末２０００とが近づくと、決済要請部１４００は、ＰＯＳ端末２０００に決済を要請する。決済情報は、物品またはサービスについての決済に用いられる情報であり、カード情報、クーポン情報及びユーザ情報を含む。
【０１２２】
メモリ部１５００は、デバイス１０００が認証情報を生成し、ＰＯＳ端末２０００で生成された認証情報を保存された認証情報と比較し、ＰＯＳ端末２０００への決済の要請に必要な各種の情報を保存する。
【０１２３】
送受信部１６００は、デバイス１０００が認証情報を生成し、ＰＯＳ端末２０００で生成された認証情報を保存された認証情報と比較し、ＰＯＳ端末２０００への決済の要請に必要な各種の情報を、サーバ３０００及びＰＯＳ端末２０００と送受信する。
【０１２４】
制御部１７００は、デバイス１０００の全体動作を制御し、デバイス１０００が認証情報を生成し、ＰＯＳ端末２０００で生成された認証情報を保存された認証情報と比較し、ＰＯＳ端末２０００に決済を要請するように、認証情報保存部１１００、認証情報提供部１２００、認証情報比較部１３００、決済要請部１４００、メモリ部１５００、及び送受信部１６００を制御する。
【０１２５】
図１５は、本発明の一実施形態によるＰＯＳ端末２０００のブロック図である。
【０１２６】
図１５に示したように、本発明の一実施形態によるＰＯＳ端末２０００は、認証情報生成部２１００、認証情報受信部２２００、認証情報提供部２３００、認証部２４００、決済要請部２５００、メモリ部２６００、送受信部２７００及び制御部２８００を備える。
【０１２７】
認証情報生成部２１００は、ユーザ入力に基づいて認証情報を生成する。認証情報生成部２１００は、ＰＯＳ端末２０００に備えられたカメラまたはＰＯＳ端末２０００に接続されたカメラを用いて、ユーザの瞳孔を撮影する。また、認証情報生成部２１００は、ＰＯＳ端末２０００に備えられたマイクまたはＰＯＳ端末２０００に接続されたマイクを用いて、ユーザの音声を録音する。また、認証情報生成部２１００は、ＰＯＳ端末２０００に備えられた指紋認識装置またはＰＯＳ端末２０００に接続された指紋認識装置を用いて、ユーザの指紋を認識する。また、認証情報生成部２１００は、ＰＯＳ端末２０００に備えられたタッチスクリーンまたはＰＯＳ端末２０００に接続されたタッチスクリーンを用いて、ユーザによって入力された署名のイメージを生成する。
【０１２８】
認証情報受信部２２００は、デバイス１０００に保存された認証情報をデバイス１０００から受信する。デバイス１０００は、ＰＯＳ端末２０００に近づくと、ユーザの瞳孔イメージ、ユーザの音声、ユーザの指紋及びユーザの署名のうち少なくとも一つに関する情報を、メモリまたは別途の保存領域から抽出し、抽出された情報をＰＯＳ端末２０００に送信する。デバイス１０００が認証情報を別途の保存領域に保存した場合に、認証情報受信部２２００は、保存された認証情報をダウンロードできるリンク情報をデバイス１０００から受信する。
【０１２９】
認証情報提供部２３００は、認証情報生成部２１００によって生成された認証情報をデバイス１０００に送信する。ＰＯＳ端末２０００がデバイス１０００に近づくと、認証情報提供部２３００は、ユーザの瞳孔イメージ、ユーザの音声、ユーザの指紋及びユーザの署名のうち少なくとも一つに関する情報をデバイス１０００に送信する。ＰＯＳ端末２０００が認証情報を別途の保存領域に保存した場合に、認証情報提供部２３００は、保存された認証情報をダウンロードできるリンク情報をデバイス１０００に送信することもできる。
【０１３０】
認証部２４００は、デバイス１０００からの決済要請を認証する。認証部２４００は、デバイス１０００から受信した認証情報と、ＰＯＳ端末２０００で生成された認証情報とが同一であると判断されれば、デバイス１０００から受信した決済要請を認証する。
【０１３１】
また、デバイス１０００は、決済される物品の種類または決済金額によって、所定の認証情報をＰＯＳ端末２０００に送信する。例えば、ユーザは、決済される物品の種類または決済金額によって認証情報の種類を予め決定でき、デバイス１０００は、所定の認証情報をＰＯＳ端末２０００に送信する。しかし、これに制限されず、ユーザは任意に自分の用いた認証情報の種類を予め決定してもよい。
【０１３２】
デバイス１０００が、所定の認証情報をＰＯＳ端末２０００に送信した場合には、ＰＯＳ端末２０００に送信された認証情報と同種の認証情報がＰＯＳ端末２０００によって生成されて初めて、認証部２４００がデバイス１０００からの決済要請を認証する。
【０１３３】
決済要請部２５００は、サーバ３０００に決済を要請する。決済要請部２５００は、決済情報及び認証情報をサーバ３０００に送信する。決済要請部２５００は、デバイス１０００から受信した決済情報及び認証情報をサーバ３０００に送信する。また、決済要請部２５００は、ＰＯＳ端末２０００によって生成された認証情報をサーバ３０００に送信することもできる。
【０１３４】
メモリ部２６００は、ＰＯＳ端末２０００が認証情報を生成し、ＰＯＳ端末２０００で生成された認証情報をデバイス１０００から受信した認証情報と比較し、サーバ３０００への決済の要請に必要な各種の情報を保存する。
【０１３５】
送受信部２７００は、ＰＯＳ端末２０００が認証情報を生成し、ＰＯＳ端末２０００で生成された認証情報をデバイス１０００から受信した認証情報と比較し、サーバ３０００への決済の要請に必要な各種の情報を、デバイス１０００及びサーバ３０００と送受信する。
【０１３６】
制御部２８００は、ＰＯＳ端末２０００の全体動作を制御し、ＰＯＳ端末２０００が認証情報を生成し、ＰＯＳ端末２０００で生成された認証情報をデバイス１０００から受信した認証情報と比較し、サーバ３０００に決済を要請できるように、認証情報生成部２１００、認証情報受信部２２００、認証情報提供部２３００、認証部２４００、決済要請部２５００、メモリ部２６００及び送受信部２７００を制御する。
【０１３７】
本発明の一実施形態は、コンピュータによって行されるプログラムモジュールのような、コンピュータによって実行可能な命令語を含む記録媒体の形態でも具現される。コンピュータで読み取り可能な記録媒体は、コンピュータによってアクセスされる任意の可用媒体であり、揮発性及び不揮発性媒体、分離型及び非分離型媒体をいずれも含む。また、コンピュータで読み取り可能な媒体は、コンピュータ記録媒体及び通信媒体をいずれも含む。コンピュータ記録媒体は、コンピュータで読み取り可能な命令語、データ構造、プログラムモジュールまたはその他のデータのような情報の保存のための任意の方法または技術で具現された揮発性及び不揮発性、分離型及び非分離型媒体をいずれも含む。通信媒体は典型的に、コンピュータで読み取り可能な命令語、データ構造、プログラムモジュール、または搬送波のような変調されたデータ信号のその他のデータ、またはその他の送信メカニズムを含み、任意の情報伝達媒体を含む。
【０１３８】
前述した本発明の説明は例示のためのものであり、当業者ならば、本発明の技術的思想や必須な特徴を変更せずに他の具体的な形態に容易に変形可能であるということを理解できるであろう。したがって、以上で述べた実施形態は、あらゆる面で例示的なものであり、限定的ではないと理解せねばならない。例えば、一体型として説明されている各構成要素は分散して実施されてもよく、同様に、分散して説明されている構成要素も結合された形態で実施されてもよい。
【０１３９】
本発明の範囲は、詳細な説明でなく特許請求の範囲によって示されており、特許請求の範囲の意味及び範囲、そしてその均等概念から導出されるあらゆる変更または変形された形態が本発明の範囲に含まれると解釈されねばならない。
【産業上の利用可能性】
【０１４０】
本発明は、モバイルデバイス関連の技術分野に好適に用いられる。
【符号の説明】
【０１４１】
１０００  デバイス
２０００  ＰＯＳ端末
３０００  サーバ
４０００  ネットワーク
【図１】
2019012538.tif 000003
【図２】
2019012538.tif 000004
【図３】
2019012538.tif 000005
【図４】
2019012538.tif 000006
【図５】
2019012538.tif 000007
【図６】
2019012538.tif 000008
【図７】
2019012538.tif 000009
【図８】
2019012538.tif 000010
【図９】
2019012538.tif 000011
【図１０】
2019012538.tif 000012
【図１１】
2019012538.tif 000013
【図１２】
2019012538.tif 000014
【図１３】
2019012538.tif 000015
【図１４】
2019012538.tif 000016
【図１５】
2019012538.tif 000017